(57)【要約】【課題】３次元映像を表示する場合に，シャッター眼鏡を装着していないユーザに対してのみ所定のメッセージを通知する。【解決手段】右目用画像及び左目用画像の信号の入力を受け、右目用画像及び左目用画像に所定のメッセージ情報を付加するメッセージ付加部１２０ｂと、メッセージ情報が付加された右目用画像及び左目用画像を交互に表示するための信号を出力する映像信号制御部１２０ａと、映像信号制御部１２０ａから出力された信号が入力され、右目用画像と左目用画像を交互に表示するとともに、右目用画像と左目用画像が切り換わるタイミングで前記メッセージ情報を表示する表示パネル１３４と、を備える。【選択図】図２
2011109605.tif 000002
【特許請求の範囲】
【請求項１】
右目用画像及び左目用画像の信号の入力を受け、前記右目用画像及び左目用画像に所定のメッセージ情報を付加するメッセージ情報付加部と、
前記メッセージ情報が付加された前記右目用画像及び左目用画像を交互に表示するための信号を出力する信号制御部と、
前記信号制御部から出力された信号が入力され、前記右目用画像と左目用画像を交互に表示するとともに、前記右目用画像と左目用画像が切り換わるタイミングで前記メッセージ情報を表示する表示パネルと、
を備える、画像表示装置。
【請求項２】
右目用と左目用のシャッターを備える鑑賞用眼鏡に対して、前記右目用及び左目用のシャッターのオープン期間を示すタイミング信号を生成し、前記メッセージ情報が表示されるタイミングで前記右目用及び左目用のシャッターの双方を閉じるための前記タイミング信号を送信する眼鏡制御信号送信部を備える、請求項１に記載の画像表示装置。
【請求項３】
前記信号制御部は、前記右目用画像及び前記左目用画像を少なくとも２回連続して表示するための信号を出力する、請求項１に記載の画像表示装置。
【請求項４】
前記表示パネルはバックライトを含み、前記右目用画像と左目用画像が表示されるタイミング及び前記メッセージ情報が表示されるタイミングに合わせて前記バックライトを点灯させるバックライト制御部を備える、請求項１に記載の画像表示装置。
【請求項５】
前記表示パネルは表示画面の上下方向に線順次に表示を行う液晶表示パネルからなり、
前記表示パネルは、前記メッセージ情報が付加された前記右目用画像及び左目用画像の信号に基づいて、前記表示画面の垂直方向の上端又は下端に前記メッセージ情報を表示する、請求項１に記載の画像表示装置。
【請求項６】
前記表示パネルは、前記右目用画像と左目用画像の信号が切り換わるタイミングの直前に、前記表示画面の垂直方向の下端に前記メッセージ情報を表示する、請求項５に記載の画像表示装置。
【請求項７】
前記表示パネルは、前記右目用画像と左目用画像の信号が切り換わるタイミングの直後に、前記表示画面の垂直方向の上端に前記メッセージ情報を表示する、請求項５に記載の画像表示装置。
【請求項８】
前記メッセージ付加部は、前記右目用画像及び左目用画像の前後のフレームの輝度に基づいて、前記メッセージ情報を付加する領域の輝度を定めて、前記メッセージ情報を付加する、請求項１に記載の画像表示装置。
【請求項９】
右目用画像及び左目用画像の信号の入力を受け、前記右目用画像及び左目用画像の信号に所定のメッセージ情報を付加するメッセージ情報付加部と、前記メッセージ情報が付加された前記右目用画像及び左目用画像を交互に表示するための信号を出力する信号制御部と、前記信号制御部から出力された信号が入力され、右目用画像と左目用画像を交互に表示するとともに、前記右目用画像と左目用画像が切り換わるタイミングで前記メッセージ情報を表示する表示パネルと、右目用と左目用のシャッターを備える鑑賞用眼鏡に対して、前記右目用及び左目用のシャッターのオープン期間を示すタイミング信号を生成し、前記メッセージ情報が表示されるタイミングで前記右目用及び左目用のシャッターの双方を閉じるための前記タイミング信号を送信する眼鏡制御信号送信部と、を有する画像表示装置と、
前記タイミング信号に基づいて、前記右目用と左目用の前記シャッターを交互に開き、前記メッセージ情報が表示されるタイミングでは前記右目用と左目用の前記シャッターの双方を閉じる前記観賞用眼鏡と、
を備える、画像表示観察システム。
【請求項１０】
右目用画像及び左目用画像の信号の入力を受け、前記右目用画像及び左目用画像の信号に所定のメッセージ情報を付加するステップと、
前記メッセージ情報が付加された前記右目用画像及び左目用画像を交互に表示するための信号を出力するステップと、
前記信号制御部から出力された信号が入力され、右目用画像と左目用画像を交互に表示するとともに、前記右目用画像と左目用画像が切り換わるタイミングで前記メッセージ情報を表示するステップと、
を備える、画像表示方法。
【発明の詳細な説明】
【技術分野】
【０００１】
本発明は、画像表示装置、画像表示観察システム及び画像表示方法に関する。
【背景技術】
【０００２】
従来、例えば下記の特許文献に記載されているように、視差を有する左目用画像及び右目用画像を所定周期で交互にディスプレイに供給し、この画像を所定周期に同期して駆動される液晶シャッターを備える眼鏡で観察して立体映像を視認する方法が知られている。
【先行技術文献】
【特許文献】
【０００３】
【特許文献１】特開平９−１３８３８４号公報
【特許文献２】特開２０００−３６９６９号公報
【特許文献３】特開２００３−４５３４３号公報
【発明の概要】
【発明が解決しようとする課題】
【０００４】
しかしながら、上述した手法では、液晶シャッターを備える眼鏡を装着していないユーザは、立体映像を正常に視認することができない。この場合、左目用画像及び右目用画像には視差があるため、眼鏡を装着していないユーザは、視差のある左目用画像及び右目用画像を両目で視認するため、通常の２次元映像として視認することもできない。従って、眼鏡を装着していないユーザに対して、３Ｄの映像を表示していることを報知する必要がある。
【０００５】
その一方で、映像の中に３Ｄの映像を表示していることを報知する情報を付加した場合は、液晶シャッターを備える眼鏡を装着して正常に３Ｄ映像を視聴しているユーザに対しては不要な情報を報知することになる。
【０００６】
そこで、本発明は、上記問題に鑑みてなされたものであり、本発明の目的とするところは、シャッター眼鏡を装着していないユーザに対してのみ、所定のメッセージを通知することが可能な、新規かつ改良された画像表示装置、画像表示観察システム及び画像表示方法を提供することにある。
【課題を解決するための手段】
【０００７】
上記課題を解決するために、本発明のある観点によれば、右目用画像及び左目用画像の信号の入力を受け、前記右目用画像及び左目用画像に所定のメッセージ情報を付加するメッセージ情報付加部と、前記メッセージ情報が付加された前記右目用画像及び左目用画像を交互に表示するための信号を出力する信号制御部と、前記信号制御部から出力された信号が入力され、前記右目用画像と左目用画像を交互に表示するとともに、前記右目用画像と左目用画像が切り換わるタイミングで前記メッセージ情報を表示する表示パネルと、を備える、画像表示装置が提供される。
【０００８】
また、右目用と左目用のシャッターを備える鑑賞用眼鏡に対して、前記右目用及び左目用のシャッターのオープン期間を示すタイミング信号を生成し、前記メッセージ情報が表示されるタイミングで前記右目用及び左目用のシャッターの双方を閉じるための前記タイミング信号を送信する眼鏡制御信号送信部を備えるものであってもよい。
【０００９】
また、前記信号制御部は、前記右目用画像及び前記左目用画像を少なくとも２回連続して表示するための信号を出力するものであってもよい。
【００１０】
また、前記表示パネルはバックライトを含み、前記右目用画像と左目用画像が表示されるタイミング及び前記メッセージ情報が表示されるタイミングに合わせて前記バックライトを点灯させるバックライト制御部を備えるものであってもよい。
【００１１】
また、前記表示パネルは表示画面の上下方向に線順次に表示を行う液晶表示パネルからなり、前記表示パネルは、前記メッセージ情報が付加された前記右目用画像及び左目用画像の信号に基づいて、前記表示画面の垂直方向の上端又は下端に前記メッセージ情報を表示するものであってもよい。
【００１２】
また、前記表示パネルは、前記右目用画像と左目用画像の信号が切り換わるタイミングの直前に、前記表示画面の垂直方向の下端に前記メッセージ情報を表示するものであってもよい。
【００１３】
また、前記表示パネルは、前記右目用画像と左目用画像の信号が切り換わるタイミングの直後に、前記表示画面の垂直方向の上端に前記メッセージ情報を表示するものであってもよい。
【００１４】
また、前記メッセージ付加部は、前記右目用画像及び左目用画像の前後のフレームの輝度に基づいて、前記メッセージ情報を付加する領域の輝度を定めて、前記メッセージ情報を付加するものであってもよい。
【００１５】
また、上記課題を解決するために、本発明の別の観点によれば、右目用画像及び左目用画像の信号の入力を受け、前記右目用画像及び左目用画像の信号に所定のメッセージ情報を付加するメッセージ情報付加部と、前記メッセージ情報が付加された前記右目用画像及び左目用画像を交互に表示するための信号を出力する信号制御部と、前記信号制御部から出力された信号が入力され、右目用画像と左目用画像を交互に表示するとともに、前記右目用画像と左目用画像が切り換わるタイミングで前記メッセージ情報を表示する表示パネルと、右目用と左目用のシャッターを備える鑑賞用眼鏡に対して、前記右目用及び左目用のシャッターのオープン期間を示すタイミング信号を生成し、前記メッセージ情報が表示されるタイミングで前記右目用及び左目用のシャッターの双方を閉じるための前記タイミング信号を送信する眼鏡制御信号送信部と、を有する画像表示装置と、前記タイミング信号に基づいて、前記右目用と左目用の前記シャッターを交互に開き、前記メッセージ情報が表示されるタイミングでは前記右目用と左目用の前記シャッターの双方を閉じる前記観賞用眼鏡と、を備える、画像表示観察システムが提供される。
【００１６】
また、上記課題を解決するために、本発明の別の観点によれば、右目用画像及び左目用画像の信号の入力を受け、前記右目用画像及び左目用画像の信号に所定のメッセージ情報を付加するステップと、前記メッセージ情報が付加された前記右目用画像及び左目用画像を交互に表示するための信号を出力するステップと、前記信号制御部から出力された信号が入力され、右目用画像と左目用画像を交互に表示するとともに、前記右目用画像と左目用画像が切り換わるタイミングで前記メッセージ情報を表示するステップと、を備える、画像表示方法が提供される。
【発明の効果】
【００１７】
本発明によれば、シャッター眼鏡を装着していないユーザに対してのみ、所定のメッセージを通知することが可能となる。
【図面の簡単な説明】
【００１８】
【図１】本発明の一実施形態に係る立体画像表示観察システムの構成を示す模式図である。
【図２】画像表示装置の構成を示すブロック図である。
【図３】本実施形態による２度書き込みの原理と、液晶シャッター２００ａ，２００ｂの開閉を示す模式図である。
【図４】メッセージ表示方法の概念を示す模式図である。
【図５】メッセージ表示と液晶シャッターの開閉を詳細に示す模式図である。
【図６】表示画面の上部にメッセージを表示する例を示す模式図である。
【図７】画像表示装置の表示画面の下側から線順次に表示を行う例を示す模式図である。
【図８】図５の例において、バックライトの点灯タイミングを同期させた例を示す模式図である。
【図９】図６の例において、バックライトの点灯タイミングを同期させた例を示す模式図である。
【図１０】プラズマディスプレイパネルに適用した場合の例を示す模式図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
なお、説明は以下の順序で行うものとする。
（１）システム構成例
（２）画像表示装置の構成例
（３）本実施形態による２度書き込みの例
（４）本実施形態によるメッセージ表示の例
（５）バックライトの点灯を同期させた例
（６）プラズマディスプレイパネルへの適用
（７）メッセージの視認性を向上する具体的構成例
【００２１】
［（１）システム構成例］
図１は、本発明の一実施形態に係る立体画像表示観察システムの構成を示す模式図である。図１に示すように、本実施形態に係るシステムはＬＣＤから構成される画像表示装置１００と、表示画像鑑賞用メガネ２００とを備える。
【００２２】
画像表示装置１００は、例えば時分割式の立体映像ディスプレイ装置であり、左眼用映像及び右眼用映像を非常に短い周期で画面全体に交互にディスプレイする。また、画像表示装置１００は、左眼用映像及び右眼用映像のディスプレイ周期に同期して左眼及び右眼に映像を分離して提供する。画像表示装置１００は、例えば、フィールド毎に右目用画像Ｒと左目用画像Ｌを交互に表示する。表示画像鑑賞用メガネ２００には、レンズに相当する部分に一対の液晶シャッター２００ａ，２００ｂが設けられている。液晶シャッター２００ａ，２００ｂは、画像表示装置１００のフィールド毎の画像切り換えに同期して交互に開閉動作を行う。すなわち、画像表示装置１００に右目用画像Ｒが表示されるフィールドでは、左目用の液晶シャッター２００ｂが閉鎖状態となり、右目用の液晶シャッターが開放状態２００ａとなる。また、左目用画像Ｌが表示されるフィールドでは、これと逆の動作を行う。このように、画像表示装置１００は、左眼用映像Ｌ及び右眼用映像Ｒを非常に短い周期で画面全体に交互にディスプレイすると同時に、左眼用映像Ｌ及び右眼用映像Ｒのディスプレイ周期に同期して左眼及び右眼に映像を分離して提供する。
【００２３】
このような動作により、鑑賞用メガネ２００を掛けて画像表示装置１００を見るユーザの右目には右目用画像Ｒのみが、また、左目には左目用画像Ｌのみが入射される。このため、鑑賞者の目の内部で右目用と左目用の画像が合成され、画像表示装置１００に表示される画像が立体的に認識される。また、画像表示装置１００は通常の２次元画像を表示することもでき、この場合、右目用画像Ｒと左目用画像Ｌの切り換えは行われない。
【００２４】
［（２）画像表示装置の構成例］
次に、画像表示装置１００の構成について説明する。図２は、画像表示装置１００の構成を示すブロック図である。図２に示すように、画像表示装置１００は、グラフィック生成部１２０、メガネ制御信号送信部１２２、エミッタ１２４、パネル駆動部１２６、ＣＰＵ１２８、ゲートドライバ１３０、データドライバ１３２、液晶表示パネル１３４を備える。液晶表示パネル１３４の背後には、バックライト（面光源）１３６が配置されている。
【００２５】
液晶表示パネル１３４は、液晶層、液晶層を挟んで対向する透明電極、カラーフィルタ等から構成されている。
【００２６】
グラフィック生成部１２０には、右目用画像Ｒ及び左目用画像Ｌを表示するための左右映像信号が例えばＨＤＭＩ信号により入力される。グラフィック生成部１２０は、映像信号制御部１２０ａ、及びメッセージ付加部１２０ｂを備える。映像信号制御部１２０ａは、液晶表示パネル１３４に右目用画像Ｒと左目用画像Ｌを交互に表示させるため、左右映像信号を交互に出力する。また、映像信号制御部１２０ａは、入力された左右映像信号に基づいて、後述する２度書き込みを行うため、右目用映像信号と左目用映像信号のそれぞれについて、同じ信号が２つ連続するように変換を行う。
【００２７】
メッセージ付加部１２０ｂは、右目用画像Ｒと左目用画像Ｌに対して、鑑賞用メガネ２００を掛けていないユーザのみに視認させるメッセージを付加する。また、メッセージ付加部１２０ｂは、例えば前後のフレームの輝度に基づいて、メッセージ表示領域の輝度を決定してメッセージを付加する。
【００２８】
パネル駆動部１２６には、映像信号制御部１２０で変換され、メッセージ付加部１２０ｂでメッセージが付加された右目用映像信号（Ｒ１ａ，Ｒ１ｂ，Ｒ２ａ，Ｒ２ｂ，・・・）及び左目用映像信号（Ｌ１ａ，Ｌ１ｂ，Ｌ２ａ，Ｌ２ｂ，・・・）が入力される。パネル駆動部１２６は、入力された右目用映像信号及び左目用映像信号を液晶表示パネル１３４へ入力するための信号に変換し、ゲートドライバ１３０およびデータドライバ１３２の動作に用いられるパルス信号を生成する。また、パネル駆動部１２６は、左右の映像信号の切り換わりを示す信号をＣＰＵ１２８に対して送信する。更に、パネル駆動部１２６は、左右の映像信号の切り換わりのタイミング、及びメッセージの表示タイミングに応じてバックライト１３６を点灯させる。
【００２９】
パネル駆動部１２６で変換された信号は、ゲートドライバ１３０とデータドライバ１３２のそれぞれに入力される。ゲートドライバ１３０およびデータドライバ１３２は、パネル駆動部１２６で生成されたパルス信号を受け、入力された信号に基づいて液晶表示パネル１３４の各画素を発光させる。これにより、液晶表示パネル１３４に映像が表示される。
【００３０】
ＣＰＵ１２８は、パネル駆動部１２６から送られた、左右の映像信号の切り換わりを示す信号に基づいて、鑑賞用メガネ２００の開閉タイミングを示すタイミング信号をメガネ制御信号送信部１２２へ送る。後述するが、ＣＰＵ１２８は、液晶の応答速度を考慮した上で、開閉タイミングを決定し、タイミング信号を生成する。また、ＣＰＵ１２８は、バックライト１３６を映像の切り換わりに同期して点灯する場合は、バックライト１３６の点灯期間を考慮した上で、開閉タイミングを決定し、タイミング信号を生成する。メガネ制御信号送信部１２２は、ＣＰＵ１２８から送られたタイミング信号に基づいて、エミッタ１２４を発光させる駆動信号をエミッタ１２４へ送る。エミッタ１２４は、左右の映像信号の切り換わりのタイミング（液晶シャッター２００ａ，２００ｂの開閉タイミング）を示す光信号を、赤外線通信等により鑑賞用メガネ２００に対して送信する。
【００３１】
表示画像鑑賞用メガネ２００は、詳細は省略するが、光信号を受信するセンサを備えている。光信号を受信した鑑賞用メガネ２００は、画像表示装置１００の右目用映像信号と左目用映像信号の切り換わりのタイミングに同期して、液晶シャッター２００ａ，２００ｂの開閉動作を交互に行う。
【００３２】
なお、本実施形態に係る画像処理方法は、グラフィック生成部１２０、パネル駆動部１２６、液晶表示パネル１３４にて順次行われる処理によって実現される。
【００３３】
［（３）本実施形態による２度書き込みの例］
液晶の応答速度の不足に起因するクロストークの発生、及び輝度不足等を解消するため、本実施形態では、液晶パネルの駆動周波数を高め、左右の画像の１フレームを液晶表示パネル１３４に２度表示させる（書き込む）という手法を採用している。
【００３４】
図３は、本実施形態による２度書き込みの原理と、液晶シャッター２００ａ，２００ｂの開閉を示す模式図であって、ＮＴＳＣ信号の６０［Ｈｚ］を２度書きすることにより、右目用画像Ｒと左目用画像Ｌのそれぞれを２４０［Ｈｚ］の駆動周波数で表示した場合を示している。図３において、１回の書き込みにより右目用画像Ｒ又は左目用画像Ｌが表示される時間は、１／２４０［Ｈｚ］＝４．２［ｍｓ］である。
【００３５】
本実施形態のように液晶表示パネル１３４により表示を行う場合は、１フレームを表示する際、一般に、パネルの上端のラインから下に向かって順に１ラインずつ表示を更新していき、線順次に画像表示が行われる。このため、左目用画像Ｌ→右目用画像Ｒ→左目用画像Ｌと表示する映像が変化するときは、変化した後のフレームを表示している最中に、画面の上部は新しいフレームの映像が表示されるが、画面の下部は前のフレームの映像が残っている状態となる。このような状態で表示画像鑑賞用メガネ２００の液晶シャッター２００ａ，２００ｂを開くと、前のフレームと新しいフレームが交じった映像が目に入るため、正しく映像を表示することができず、左目用画像Ｌと右目用画像Ｒが混ざるクロストークが発生してしまう。
【００３６】
このようなクロストークを防ぐために、本実施形態では、同じフレームを２回表示し、２回目の表示時のみにメガネのシャッターを開くことによって、液晶表示パネル１３４の全面で同じフレームの映像が表示されている状態だけがユーザの目に入るようにしている。このとき、液晶表示パネル１３４は、入力された映像の４倍のフレームレートでＬ１→Ｌ１→Ｒ１→Ｒ１→Ｌ２→Ｌ２→Ｒ２→Ｒ２→・・・の順で表示を行い、各左目用画像Ｌと右目用画像Ｒの２回目のフレームのみ、鑑賞用メガネ２００のシャッターを開くようにする。
【００３７】
以下、図３に基づいて詳細に説明する。ここでは、例えばＨＤＭＩで各フレームについて左目用画像Ｌと右目用画像Ｒの２枚の映像が送られてくるものとする。この場合、図３（Ａ）に示すように、左右の映像信号は、Ｌ１→Ｒ１→Ｌ２→Ｒ２→Ｌ３→Ｒ３・・・のように順次に送られて、映像信号制御部１２０へ入力される。
【００３８】
映像信号制御部１２０は、図３（Ｂ）に示すように、入力された左右映像信号に基づいて、左目用映像信号Ｌ１，Ｌ２，Ｌ３，・・・と右目用映像信号Ｒ１，Ｒ２，Ｒ３，・・・のそれぞれについて、同じ信号が２つ連続するように変換を行う。これにより、左目用映像信号Ｌ１はＬ１ａとＬ１ｂに変換され、右目用映像信号Ｒ１はＲ１ａとＲ１ｂに変換される。他の信号についても同様に変換が行われる。これにより、映像信号制御部１２０は、図３（Ｂ）に示すように、Ｌ１ａ→Ｌ１ｂ→Ｒ１ａ→Ｒ１ｂ→Ｌ２ａ→Ｌ２ｂ→Ｒ２ａ→Ｒ２ｂ・・・の順で左右映像信号を順次出力する。
【００３９】
液晶表示パネル１３４は、映像信号制御部１２０から出力された左右映像信号に基づいて表示を行う。図３（Ｃ）は、液晶表示パネル１３４に表示された画像を示す模式図である。図３（Ｃ）において、領域＃１は左目用画像Ｌが表示されている領域を、領域＃２は左目用画像Ｌの液晶の応答待ち状態の領域を、領域＃３は右目用画像Ｒが表示されている領域を、領域＃４は右目用画像Ｒの液晶の応答待ち状態の領域を、それぞれ示している。より詳細には、領域＃２、領域＃４は、液晶表示パネル１３４の各ピクセルの電荷は次のフレームの新しい映像のものに書き換えられているものの、液晶の応答待ちのため正しい輝度になっていない状態の領域である。
【００４０】
図３（Ｂ）は、信号が時間とともに変化する様子を模式的に示している。例えば、図３（Ｂ）において、時刻ｔ０からｔ１の間は、左目用画像Ｌの１回目の信号Ｌ１ａが線順次に出力されている様子を示している。同様に、図３（Ｃ）は、液晶表示パネル１３４の表示が時間とともに変化する様子を模式的に示している。図３（Ｃ）に示す各映像表示は、図３（Ｂ）の時刻ｔ２、ｔ３、ｔ４、ｔ５、ｔ６の各時刻の映像に対応している。
【００４１】
図３（Ｂ）に示すように、時刻ｔ２以前は１回目、２回目の左目用画像の信号Ｌ１ａ，Ｌ１ｂが出力されており、時刻ｔ２で信号がＬ１ｂからＲ１ａに切り換わる。このため、図３（Ｃ）に示すように、時刻ｔ２の時点では、液晶表示パネル１３４の上側の領域＃１に左目用画像Ｌ１が表示されているが、パネル下部の領域＃２では、時刻ｔ２の直前に入力された信号Ｌ１ｂによる左目用画像Ｌ１が液晶の応答中の状態となる。
【００４２】
次に、時刻ｔ３では、１回目の右目用画像の信号Ｒ１ａが出力されており、信号Ｒ１ａによる右目用画像Ｒ１が液晶表示パネル１３４に書き込まれている状態となる。このとき、映像は液晶表示パネル１３４の上側から順次に書き込まれるため、時刻ｔ３の時点で表示されている画像は、パネルの上側の領域＃３では信号Ｒ１ａによる右目用画像Ｒ１が表示され、パネルの下側の領域＃１では前フレームの左目用画像Ｌ１が表示されている状態となる。また、パネルの上下の中間の領域＃４では、信号Ｒ１ａによる右目用画像Ｒ１が応答中の状態となる。
【００４３】
次に、時刻ｔ４では、信号がＲ１ａからＲ１ｂに切り換わり、信号Ｒ１ｂによる右目用画像Ｒ１の液晶表示パネル１３４への書き込みが開始される。時刻ｔ４以前は１回目の右目用画像の信号Ｒ１ａが出力されており、時刻ｔ４では信号Ｒ１ｂによる右目用画像Ｒ１の液晶表示パネル１３４への書き込みが開始される。このため、信号Ｒ１ｂによる右目用画像Ｒの書き始めの段階（ｔ４）では、信号Ｒ１ａによる１回目の右目用画像Ｒがパネルの上側のほぼ全面の領域＃３に表示され、パネルの下部の領域＃４は信号Ｒ１ａによる右目用画像Ｒ１の液晶応答中となる。
【００４４】
次に、時刻ｔ５では、信号Ｒ１ｂによる右目用画像Ｒの液晶表示パネル１３４への書き込みが開始された時刻ｔ４から、液晶の応答時間が経過しており、パネル下部においても、信号Ｒ１ａにより右目用画像Ｒ１が表示された状態となる。このため、時刻ｔ５では、液晶表示パネル１３４の全面に右目用画像Ｒ１が表示された状態となる。
【００４５】
次に、時刻ｔ６では、信号がＲ１ｂからＬ２ａに切り換わり、信号Ｌ２ａによる左目用画像Ｌ２の液晶表示パネル１３４への書き込みが開始される。これにより、時刻ｔ６以前にパネル全面に表示されていた右目用画像Ｒ１の上部が次第に左目用画像Ｌ２に変化し始める。
【００４６】
ここで、右目用画像Ｒ１の表示に着目すると、時刻ｔ３では、パネルの上側では信号Ｒ１ａによる右目用画像Ｒ１が表示され、パネルの下側では前フレームの左目用画像Ｌ１が表示されている状態となる。このため、時刻ｔ３の時点で右目用の液晶シャッター２００ａを開くと、ユーザの右目に左右の映像が混ざって視認されてしまう。また、時刻ｔ４では、信号Ｒ１ａによる１回目の右目用画像Ｒがパネル上側のほぼ全面に表示され、パネルの下部が信号Ｒ１ａによる画像が液晶の応答中であるため、パネルの下部の右目用画像Ｒ１は所望の輝度に到達していない。このため、時刻ｔ４の時点で右目用の液晶シャッター２００ａを開くと、パネルの下部において所望の輝度に到達していない映像がユーザの右目に視認されてしまう。
【００４７】
一方、時刻ｔ５の時点では、液晶表示パネル１３４の全面に右目用画像Ｒ１が表示されているため、時刻ｔ５の時点で右目用の液晶シャッター２００ａを開くと、パネル全面に所望の輝度で表示された右目用画像Ｒをユーザの右目に視認させることができる。
【００４８】
ここで、時刻ｔ４の時点でパネル下部に表示されている、液晶が完全に応答していない領域＃４では、液晶の応答速度をＴ［ｍｓ］とすると、時刻ｔ４からＴ［ｍｓ］が経過すると、液晶が応答して所望の輝度に到達する。このように、液晶の応答速度を考慮すると、各ラインにおいて、液晶の各ピクセルの電荷を書き換えても、液晶の応答速度時間分だけ遅れて正しい輝度で表示されるようになる。従って、時刻ｔ４からＴ［ｍｓ］が経過した後に液晶シャッター２００ａを開くようにする。なお、液晶の応答速度Ｔは、例えば４［ｍｓ］程度の値である。また、時刻ｔ６の後、信号Ｌ２ａによる左目用画像Ｌ２の書き込みにより、右目用画像Ｒ１の上部が次第に左目用画像Ｌ２に変化し始めるため、時刻ｔ６（またはその直前）で右目用の液晶シャッター２００ａを閉じるようにする。これにより、パネルの上部に表示され始める左目用画像Ｌ２が右目用画像Ｒ１に混ざってユーザの右目に視認されることを抑止できる。
【００４９】
以上のように、本実施形態では、Ｌ，Ｒのフレームをそれぞれ２回ずつ、｛Ｌ１ａ，Ｌ１ｂ｝,｛Ｒ１ａ，Ｒ１ｂ｝,｛Ｌ２ａ，Ｌ２ｂ｝，｛Ｒ２ａ，Ｒ２ｂ｝,・・・の信号により表示し、Ｌ，Ｒの２回目（Ｌ１ｂ，Ｒ１ｂ，Ｌ２ｂ，Ｒ２ｂ，・・・）の表示の際にメガネのシャッターを開く。これにより、左右映像が混ざるクロストークを抑えるとともに、所望の輝度を確保することが可能となる。
【００５０】
以上のような２度書きによる表示は、通常のテレビジョン（ＴＶ）の放送や、ネットワーク経由で映像を取得するインターネットテレビ、あるいはサイド・バイ・サイド（Side-by-Side）などの他の３Ｄ伝送方式においても、受信機側の画像処理装置１００内でＬ，Ｒの映像を取り出してから処理を行う。更に、ＤＬＰ方式のプロジェクタなどにおいても同様の処理を行うことができる。従って、これらの方式においても、パネルの表示タイミングに関しては同様に行うことができる。
【００５１】
［（４）本実施形態によるメッセージ表示の例］
次に、本実施形態によるメッセージ表示の例について説明する。画像表示装置１００には、映像とともに所定のメッセージが表示される場合がある。このようなメッセージは、通常テキスト情報として表示画面内に表示される。
【００５２】
上述のように、画像表示装置１００には左目用画像Ｌと右目用画像Ｒが交互に表示され、表示画像鑑賞用メガネ２００はこれと同期して液晶シャッター２００ａ，２００ｂの開閉を行う。従って、表示画像鑑賞用メガネ２００を装着していないユーザは、映像を立体として視認することができない。また、左目用画像Ｌと右目用画像には視差があるため、表示画像鑑賞用メガネ２００を装着していないユーザは、通常の２Ｄの映像として視認することもできない。このため、本実施形態では、表示画像鑑賞用メガネ２００を装着していないユーザに対しては、現在表示されている映像が立体映像であることを示すとともに、表示画像鑑賞用メガネ２００を装着するように促すメッセージを表示する。
【００５３】
一方、表示画像鑑賞用メガネ２００を装着しているユーザは、立体映像を正常に視認できることから、このような注意メッセージを視認する必要はない。そこで、本実施形態では、ユーザが表示画像鑑賞用メガネ２００を装着していないユーザのみがメッセージを視認でき、表示画像鑑賞用メガネ２００を装着していないユーザはメッセージを視認できないように表示を行う。以下、このような表示手法につて詳細に説明する。
【００５４】
図４は、本実施形態に係るメッセージ表示方法の概念を示す模式図である。図４は、図３（Ｃ）と同様に液晶表示パネル１３４の表示が時間とともに変化する様子を模式的に示している。上述したように、２度書きによる表示では、Ｌ，Ｒの２回目の表示(信号Ｌ１ｂ，Ｒ１ｂ，Ｌ２ｂ，Ｒ２ｂ，・・・による表示)の際に液晶シャッター２００ａ，２００ｂを開く。このとき、時系列的には、左右の液晶シャッター２００ａ，２００ｂが共に閉じているタイミングが存在する。そこで、本実施形態では、左右の液晶シャッター２００ａ，２００ｂの双方が閉じている期間にユーザに対するメッセージを表示する。図４の例では、メッセージとして「３Ｄ再生中、メガネをかけてください」とのメッセージを表示した例を示している。
【００５５】
このような構成によれば、表示画像鑑賞用メガネ２００をかけていないユーザに対してのみメッセージを伝えることができる。特に、３Ｄ映像の表示中は、メガネを装着していないユーザは正常に映像を見ることができないため、メガネの装着を促すメッセージを表示する場合に有効である。例えば、街頭、店舗、展示会場等に設置した画像表示装置１００により３Ｄ映像を表示する場合、不特定多数の人が画面を見ることになるが、そのような場合に、メガネを装着していないユーザに対して、３Ｄ映像を表示していることを伝えることができ、メガネの装着を促すことができる。
【００５６】
また、テレビ受像機（ＴＶ）などの画像表示装置１００は、任意の複数の人が見ることができるため、３Ｄ映像を表示している間、継続してメッセージの表示を行うことで、後からその場に来た人もメッセージを見ることが可能である。
【００５７】
従って、番組開始時のみにメッセージを表示するなどの制約がなくなり、３Ｄ映像を表示している最中に継続的にメッセージを表示することができる。
【００５８】
図５は、本実施形態に係るメッセージ表示と液晶シャッター２００ａ，２００ｂの開閉を詳細に示す模式図であって、図３（Ｃ）と同様に液晶表示パネル１３４の表示が時間とともに変化する様子を模式的に示している。図５において、２度書きによる映像の表示は図３と同様に行われる。図５に示すように、時刻ｔ１０からｔ１１の間に信号Ｌ１ａにより左目用映像Ｌ１が書き込まれ、時刻ｔ２１においてパネルの下部まで液晶が応答すると、パネル全面に左目用画像Ｌ１が表示される。その後、時刻ｔ１２までは左目用映像Ｌ１が表示される。時刻ｔ１２では、信号Ｌ１ｂがＲ１ａに切り換わり、信号Ｒ１ａによる右目用画像Ｒ１の液晶表示パネル１３４への書き込みが開始される。その後、時刻ｔ１２以前に表示されていた左目用画像Ｌ１の上部が次第に右目用画像Ｒ１に変化し始め、時刻ｔ２３でパネルの下部まで液晶の応答が完了すると、パネルの全面に右目用画像Ｒ１が表示された状態となり、この状態が時刻ｔ１４まで続く。
【００５９】
また、図５は、液晶シャッター２００ａ，２００ｂが開閉するタイミングを模式的に示している。図５に示すように、Ｌ，Ｒの１回目の表示（信号Ｌ１a,Ｒ１a,Ｌ２a,Ｒ２ａ,・・・による表示)の間は、液晶シャッター２００ａ，２００ｂは共に閉じている。
【００６０】
液晶シャッター２００ｂは、時刻ｔ２１以前では閉じているが、時刻ｔ２１でパネル全面に左目用画像Ｌ１が表示されるタイミングに合わせて、時刻ｔ３１から開き始める。液晶シャッター２００ａ，２００ｂについても、液晶の特性上、応答にある程度の時間を要するため、時刻ｔ３１の後、時刻ｔ３２で液晶シャッター２００ｂが完全に開いた状態となる。これにより、パネル全面に左目用画像Ｌ１が表示された状態で液晶シャッター２００ｂが開かれるため、ユーザの左目には左目用画像Ｌ１が視認される。
【００６１】
そして、本実施形態では、左目用画像Ｌ１から右目用画像Ｒ１への切り換えが開始する時刻ｔ１２よりも前にメッセージを表示するため、時刻ｔ１２よりも前に液晶シャッター２００ｂを閉状態にする。このため、時刻ｔ３３において、液晶シャッター２００ｂを閉じ始める。液晶シャッター２００ｂを閉じる際にも、応答にはある程度の時間を要するため、時刻ｔ３３で液晶シャッター２００ｂを閉じ始めた後、時刻ｔ３４で液晶シャッター２００ｂが完全に閉じられる。
【００６２】
そして、時刻ｔ３４で液晶シャッター２００ｂが閉じるタイミングに合わせて、時刻ｔ２２からｔ１２のメッセージ領域表示期間において、メッセージ「３Ｄ再生中、メガネをかけてください」を表示する。時刻ｔ２２から時刻ｔ１２までの区間に表示されたメッセージは、この区間では液晶シャッター２００ｂが実質的に閉じていることから、表示画像鑑賞用メガネ２００を装着したユーザに視認されることはない。また、メッセージが表示される区間では液晶シャッター２００ａは閉じられている。従って、表示画像鑑賞用メガネ２００を装着しているユーザの右目、左目のいずれもメッセージを視認することができない。一方、表示画像鑑賞用メガネ２００を装着していないユーザは、このメッセージを視認することができる。従って、図５のように、「３Ｄ映像再生中、メガネをかけてください」とのメッセージを表示することにより、表示画像鑑賞用メガネ２００を装着していないユーザに対して３Ｄ映像の表示中であることを認識させることができ、ユーザに対して表示画像鑑賞用メガネ２００の装着を促すことができる。一方、表示画像鑑賞用メガネ２００を装着しているユーザは、メッセージを視認することなく、立体映像を継続して視認することができる。
【００６３】
なお、図５では、シャッター液晶の応答を考慮して、液晶シャッター２００ｂが完全に閉じるタイミング（ｔ３４）をメッセージ領域表示期間（ｔ２２〜ｔ１２）の開始時刻ｔ２２よりも後にしているが、液晶シャッター２００ｂが完全に閉じるタイミング（ｔ３４）は、メッセージ表示の開始時刻ｔ２２よりも以前に設定しても良い。同様に、液晶シャッター２００ｂを開き始めるタイミング（ｔ３１）は時刻ｔ２１よりも後にしても良い。
【００６４】
右目用画像Ｒ１を表示する場合も同様に、時刻ｔ２３でパネル全面に右目用画像Ｒ１が表示されるタイミングに合わせて、時刻ｔ３５からｔ３６の間で液晶シャッター２００ａが閉から開へ遷移する。その後、右目用画像Ｒ１から左目用画像Ｌ１への切り換えが開始する時刻ｔ１４よりも前の時刻ｔ３７において、液晶シャッター２００ａを閉じ始め、時刻ｔ３８で液晶シャッター２００ａが完全に閉じられる。そして、液晶シャッター２００ａを閉じるタイミングに合わせて、メッセージ表示期間ｔ２４〜ｔ１４にメッセージを表示する。これにより、表示画像鑑賞用メガネ２００を装着しているユーザはメッセージを視認することができず、表示画像鑑賞用メガネ２００を装着していないユーザのみメッセージを視認することができる。
【００６５】
図６は、表示画面の上部にメッセージを表示する例を示す模式図である。図６に示す例では、信号がＲ２ａからＬ１ａに切り換わった時刻ｔ１０から時刻ｔ４１までの間に、表示画面の上部にメッセージを表示する。また、信号がＬ２ｂからＲ１ａに切り換わった時刻ｔ１２から時刻ｔ４４までの間に、表示画面の上部にメッセージを表示する。
【００６６】
その後、左目用画像Ｌ１の２つ目のフレームの表示時に、メッセージ領域を表示するライン数に相当する時間分だけ遅らせて液晶シャッター２００ｂを開く。具体的には、図５の例では、時刻ｔ３１から液晶シャッター２００ｂを開き始めたが、図６では、液晶シャッター２００ｂを開き始めの時刻を、メッセージ領域を表示するライン数に相当する時間分だけ遅らせて、時刻ｔ５１から開き始める。その後、時刻ｔ５２で液晶シャッター２００ｂが完全に開いた状態となり、ユーザの左目にパネル全面に表示された左目用画像Ｌ１が表示される。そして、時刻ｔ５３において、液晶シャッター２００ｂを閉じ始め、時刻ｔ５４で液晶シャッター２００ｂが完全に閉じられる。
【００６７】
時刻ｔ５４で液晶シャッター２００ｂが閉じられるタイミングに合わせて、時刻ｔ１２から時刻ｔ４４までのメッセージ領域表示期間にメッセージが表示される。この際、液晶シャッター２００ｂが閉じる時刻ｔ５４は、メッセージの表示が終了する時刻ｔ４４よりも前に設定される。これにより、メッセージ表示期間では実質的に液晶シャッター２００ｂが閉じているため、表示画像鑑賞用メガネ２００を装着しているユーザの左目にメッセージが視認されないようにすることができる。なお、液晶シャッター２００ｂが閉じる時刻ｔ５４は、メッセージの表示を開始する時刻ｔ１２よりも前に設定しても良い。
【００６８】
右目用の液晶シャッター２００ａについても同様に、時刻ｔ１０から時刻ｔ４１までのメッセージ表示期間において、メッセージの表示が終了する以前に液晶シャッター２００ａを閉じるようにする。これにより、ユーザの右目にメッセージが視認されないようにすることができる。
【００６９】
液晶表示パネル１３４では、画面の最上部のラインから１ラインずつ表示を更新していくため、メッセージ表示領域のライン数に相当する時間Ｔ（メッセージ表示期間）は、以下の式から求めることができる。
Ｔ＝[メッセージ表示領域の縦のライン数]／[パネルの縦のライン数]*(1秒／[フレームレート(１秒間に表示するフレームの枚数)])
【００７０】
なお、上述のように、本実施形態におけるフレームレートは、映像信号のフレームレートの４倍の２４０［Ｈｚ］である。図６の例では、図５の例に対して時間Ｔだけ液晶シャッター２００ａ，２００ｂを開く時間を遅らせると、メッセージ表示領域が２回目の書き込みによる映像に書き変わったタイミング（時刻ｔ４３、時刻ｔ４６）に合わせて液晶シャッター２００ａ，２００ｂが開かれる。従って、表示画像鑑賞用メガネ２００を装着しているユーザはメッセージを視認することができなくなる。
【００７１】
以上のように、図５及び図６の構成によれば、液晶表示パネル１３４を用いた場合、表示画像鑑賞用メガネ２００を装着しているユーザには、左目用画像Ｌ、右目用画像Ｒの２フレーム目の映像に書き変わった映像しか目に入ってこないため、メッセージがユーザに認識されることはない。
【００７２】
一方、表示画像鑑賞用メガネ２００を装着していないユーザは、映像信号の４倍のフレームレートで表示しているうちの左目用画像Ｌ、右目用画像Ｒについて、２フレームに１回はメッセージが表示されるため、メッセージを視認することができる。この場合において、高フレームレートで映像を表示しているため、２フレームに１回のメッセージ表示であっても映像としての視認性を高めることが可能である。
【００７３】
図７は、画像表示装置１００の表示画面の下側から線順次に表示を行う例を示す模式図である。図７に示す例では、時刻ｔ１００において、信号Ｌ１ａによる左目用映像Ｌ１が表示画面の下側から書き込まれ、時刻ｔ１１０で信号Ｌ２ｂによる左目用映像Ｌ１が表示画面の下側から書き込まれる。また、時刻ｔ１２０では信号Ｌ２ｂが信号Ｒ１ａに切り換わり、信号Ｒ１ａによる右目用映像Ｒ１が表示画面の下側から書き込まれ、時刻ｔ１３０で信号Ｒ２ｂによる右目用映像Ｒ１が表示画面の下側から書き込まれる。
【００７４】
この場合においても、時刻ｔ２１０においてパネルの最上部の液晶まで応答が完了すると、パネル全面に左目用画像Ｌ１が表示される。その後、時刻ｔ１２０までは左目用映像Ｌ２が表示される。時刻ｔ１２０では、信号Ｒ１ａによる右目用画像Ｒの液晶表示パネル１３４への書き込みが画面下部から開始される。その後、時刻ｔ１２０以前に表示されていた左目用画像Ｌ１の下部が次第に右目用画像Ｒ１に変化し始め、時刻ｔ２４０でパネルの上部まで液晶の応答が完了すると、パネルの全面に右目用画像Ｒ１が表示された状態となり、この状態が時刻ｔ１４０まで続く。
【００７５】
図７の例において、液晶シャッター２００ａ，２００ｂの開閉タイミングは、図５と同様に行われる。すなわち、左目用画像Ｌが表示画面の全面に表示されているタイミングでは液晶シャッター２００ｂが開かれ、右目用画像Ｒが表示画面の全面に表示されているタイミングでは液晶シャッター２００ｂが開かれる。そして、液晶シャッター２００ａ，２００ｂは、メッセージが表示されるタイミングに合わせて閉じられる。メッセージは、次のフレームの信号に切り換わるまで、メッセージ表示期間（時刻ｔ２３０〜ｔ１２０、時刻ｔ２５０〜ｔ１４０）に表示される。
【００７６】
（５）バックライトの点灯を同期させた例
図８は、図５の例において、バックライト１３６の点灯タイミングを同期させた例を示している。図８に示すように、バックライト１３６は、左目用画像Ｌ１が表示画面の全画に有効に表示されている時間（時刻ｔ２１〜ｔ２２）と、メッセージの表示期間（時刻ｔ２２〜ｔ１２）とに渡って連続的に点灯される。また、バックライト１３６は、右目用画像Ｒ１が表示画面の全画に有効に表示されている時間（時刻ｔ２３〜ｔ２４）と、メッセージの表示期間（時刻ｔ２４〜ｔ１４）とに渡って連続的に点灯される。
【００７７】
バックライト１３６の点灯タイミングを同期させた場合、バックライト１３６が消灯しているタイミングでは液晶シャッター２００ａ，２００ｂを開いたとしても、ユーザに映像が視認されることはない。このため、図８の例では、左目用の液晶シャッター２００ｂを信号がＬ１ａからＬ１ｂに切り換わるタイミング（時刻ｔ１１）に合わせて開いている。ここで、時刻ｔ６１は液晶シャッター２００ｂの開き始めの時刻であり、時刻ｔ６２は液晶シャッター２００ｂが完全に開いた時刻である。
【００７８】
時刻ｔ１１から時刻ｔ２１までは液晶が応答する過渡期間であるが、バックライト１３６を消灯しているため、時刻ｔ１１から液晶シャッター２００ｂを開いたとしても、液晶応答中の映像がユーザに視認されることはない。従って、バックライト１３６の点灯タイミングを同期させることにより、特に液晶シャッター２００ａ，２００ｂの開き始めのタイミングを早くすることができ、シャッター側の液晶の応答遅延に起因して液晶シャッター２００ａ，２００ｂの実際の開口時間が少なくなることを抑止でき、所望の輝度を確保できる。
【００７９】
一方、液晶シャッター２００ａ，２００ｂを閉じるタイミングについては、メッセージ表示期間に表示されたメッセージが視認されないようにするため、図５と同じタイミングで閉じられる。
【００８０】
同様に、右目用の液晶シャッター２００ａは、信号がＲ１ａからＲ１ｂに切り換わるタイミング（時刻ｔ１３）に合わせて開かれる。ここで、時刻ｔ７１は液晶シャッター２００ａの開き始めの時刻であり、時刻ｔ７２は液晶シャッター２００ａが完全に開いた時刻である。
【００８１】
図９は、図６の例において、バックライト１３６の点灯タイミングを同期させた例を示している。図９の例においても、バックライト１３６は、左目用画像Ｌ１が表示画面の全面に有効に表示されている時間（時刻ｔ４３〜ｔ１２）と、メッセージの表示期間（時刻ｔ１２〜ｔ４４）とに渡って連続的に点灯される。また、バックライト１３６は、右目用画像Ｒ１が表示画面の全面に有効に表示されている時間（時刻ｔ４６〜ｔ１４）と、メッセージの表示期間（時刻ｔ１４〜ｔ４７）とに渡って連続的に点灯される。この場合においても、液晶シャッター２００ａ，２００ｂを閉じるタイミングは図６と同様であるが、液晶シャッター２００ａ，２００ｂを開くタイミングはより早くすることができる。図９の例では、時刻ｔ４２のタイミングに合わせて液晶シャッター２００ｂを開き、時刻ｔ４５のタイミングに合わせて液晶シャッター２００ａを開いている。これにより、シャッター側の液晶の応答の遅延に起因して液晶シャッター２００ａ，２００ｂの実際の開口時間が少なくなることを抑止でき、所望の輝度を確保できる。
【００８２】
［（６）メッセージの視認性を向上する具体的構成例］
上述したようなメッセージの表示において、メッセージ表示エリアの縦のライン数を多くとると、表示画像鑑賞用メガネ２００のシャッターを開いている時間が減ってしまい、ユーザが視認する画像の明るさ（輝度）が低下してしまうため、メッセージ表示エリアは最小限のライン数にとどめておくことが望ましい。
【００８３】
また、メッセージ表示エリアの背景画像は、前後のフレームと打ち消し合うような映像とすることによって、メッセージの視認性をより向上することができる。具体例を以下に説明する。
【００８４】
先ず、第１の方法としては、メッセージ表示エリアの背景画像として、前のフレームと次のフレームの平均をとった映像を白黒反転させた映像を用いる。また、他の方法として、前のフレームの表示エリア内の映像を白黒反転させた映像を用いる場合、次のフレームの表示エリア内の映像を白黒反転させた映像を用いる場合等が考えられる。また、メッセージ領域の背景色は、予め定められたある一定の色としても良い。
【００８５】
前後のフレームの平均を反転させた映像を用いる場合、メッセージ表示エリア内の各ピクセル（Ｐｉｘｅｌ）の背景色のＲＧＢ値は以下のようになる。
ＲＧＢ＿ｍｓｇ（ｘ，ｙ）＝ＲＧＢ（２５５：２５５：２５５）−（ＲＧＢ＿ｐｒｅｖ（ｘ，ｙ）＋ＲＧＢ＿ｎｅｘｔ（ｘ，ｙ））／２
【００８６】
上式において、各変数は以下の通りである。
ＲＧＢ_ｍｓｇ（ｘ，ｙ）:メッセージを表示するフレームにおける、メッセージ表示エリア内の（ｘ，ｙ）の座標のピクセル（Ｐｉｘｅｌ）の背景色のＲＧＢ値
ＲＧＢ（２５５：２５５：２５５）:白色
ＲＧＢ＿ｐｒｅｖ:前に表示されたフレームにおける、メッセージ表示エリア内の（ｘ，ｙ）の座標のピクセルの背景色のＲＧＢ値
ＲＧＢ＿ｎｅｘｔ:次に表示するフレームにおける、メッセージ表示エリア内の（Ｘ，Ｙ）の座標のピクセルの背景色のＲＧＢ値
【００８７】
上式によれば、現フレームにおける背景色のＲＧＢ値は、前後のフレームのＲＧＢ値を平均した値を白色から引き算した値（白黒反転した値）となり、メッセージ領域の背景色は、平均するとＲＧＢ（２５５／２：２５５／２：２５５／２）の明るさ（グレー）になる。これにより、複数フレームの平均をとると、背景色を均一の階調にすることができる。
【００８８】
なお、メッセージ領域の背景色を前後のフレームと異なる色にすることもできるが、白黒反転（ＲＧＢ（２５５：２５５：２５５）からの引き算）を使うことで、値がオーバーフローまたはアンダーフローしてしまうことを回避できる。
【００８９】
メッセージの文字等を表示する場合は、以上のようにして得られた背景色に対して、文字の色を加算して表示する。この場合、文字部分で一部ＲＧＢ値がオーバーフローしてしまうことが想定されるが、この場合は上限値を用いることができる。
【００９０】
［（７）プラズマディスプレイパネルへの適用］
上述の例では、画像表示装置１００として液晶表示パネルを用いた装置を例示したが、プラズマディスプレイパネルを用いた装置に適用することも可能である。図１０は、プラズマディスプレイパネルに適用した場合の左右映像の切り換わりを示すタイミングチャートである。
【００９１】
プラズマディスプレイパネルの場合、液晶のような応答遅れは殆ど生じないため、上述したような２度書きを行うことなく、左目用画像Ｌと右目用画像Ｒのサブフィールドを交互に表示する。そして、左右画像のサブフィールドの間にメッセージ表示用サブフィールドを点灯し、表示画像鑑賞用メガネ２００を装着していないユーザに対してメッセージ表示を行う。
【００９２】
図１０に示すように、左目用の液晶シャッター２００ｂは左目用画像Ｌのサブフィールドに対応して開かれ、右目用の液晶シャッター２００ａは右目用画像Ｒのサブフィールドに対応して開かれる。また、液晶シャッター２００ａ，２００ｂは、メッセージ表示用サブフィールドの点灯区間では閉じられる。
【００９３】
具体的には、図１０に示すように、時刻ｔ２１０以前は右目用画像Ｒのサブフィールドが表示されているため、液晶シャッター２００ｂは閉じられている。時刻ｔ２１０において右目用画像Ｒの表示が終了すると、右目用の液晶シャッター２００ａが閉じ始め、時刻ｔ２１２で液晶シャッター２００ａが完全に閉じられる。その後、時刻ｔ２１２から時刻ｔ２１４の間にメッセージ表示用サブフィールドが点灯し、メッセージが表示される。そして、時刻ｔ２１４でメッセージ表示用サブフィールドの表示が終了すると、液晶シャッター２００ｂが開き始め、時刻ｔ２１６で液晶シャッター２００ｂが完全に開かれる。
【００９４】
その後、時刻ｔ２１８〜ｔ２２０間で左目用画像Ｌのサブフィールドが表示され、ｔ２２０で左目用画像Ｌのサブフィールドの表示が終了すると、時刻ｔ２２２で液晶シャッター２００ｂが閉じ始め、時刻ｔ２２４で液晶シャッター２００ｂが完全に閉じられる。そして、液晶シャッター２００ｂが閉じた時刻ｔ２２４からｔ２２６の間にメッセージ表示用サブフィールドが点灯し、メッセージが表示される。
【００９５】
その後、時刻ｔ２２６でメッセージ表示用サブフィールドの表示が終了すると、液晶シャッター２００ａが開き始める。時刻ｔ２２８で液晶シャッター２００ａが完全に開かれると、時刻ｔ２３０からｔ２３２までの区間で右目用画像Ｒのサブフィールドが表示される。これにより、ユーザの右目に右目用画像Ｒが視認される。
【００９６】
時刻ｔ２３２で右目用画像Ｒのサブフィールドの表示が終了すると、時刻ｔ２３４で液晶シャッター２００ａが閉じ始め、時刻ｔ２３６で液晶シャッター２００ａが完全に閉じられる。その後、時刻ｔ２３６から時刻ｔ２３８までの区間でメッセージ表示用サブフィールドが表示され、時刻ｔ２３８からｔ２４０までの区間で液晶シャッター２００ｂが開かれる。
【００９７】
以上のように、プラズマディスプレイパネルに適用した場合であっても、メッセージ表示用サブフィールドの点灯期間に液晶シャッター２００ａ，２００ｂの双方を閉じることによって、表示画像鑑賞用メガネ２００を装着していないユーザにのみメッセージを伝達することができる。
【００９８】
なお、プラズマディスプレイパネルの場合、液晶パネルのような線順次の表示は行われないため、メッセージ表示用サブフィールドにおいては、画面の上部または下部以外の箇所にメッセージを表示しても良い。
【００９９】
以上説明したように本実施形態によれば、立体映像表示において、鑑賞用眼鏡２００を装着していないユーザに対してのみ、メッセージを通知することができる。従って、立体映像を表示している最中に、鑑賞用眼鏡２００を装着していないユーザに鑑賞用眼鏡２００の装着を促すことが可能となる。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０１】
１００    画像表示装置
１２０ａ    映像信号制御部
１２０ｂ    メッセージ付加部
１３４    液晶表示パネル
２００    鑑賞用メガネ
２００ａ，２００ｂ    液晶シャッター
【図１】
2011109605.tif 000003
【図２】
2011109605.tif 000004
【図３】
2011109605.tif 000005
【図４】
2011109605.tif 000006
【図５】
2011109605.tif 000007
【図６】
2011109605.tif 000008
【図７】
2011109605.tif 000009
【図８】
2011109605.tif 000010
【図９】
2011109605.tif 000011
【図１０】
2011109605.tif 000012